(57)【要約】【課題】枕の上層部を適度の硬度のものとして、就寝姿勢での頭部の安息感が得られ、且つ頭部から伝わる熱が枕に籠もらずに外部に効率よく自然に放散される構造とすることによって、就寝時に頭部の冷涼感が得られ、もって快眠を誘うことのできる新規な放熱促進用マットを具えた枕と、上述したような放熱効果に優れ、前記枕をはじめ種々の部材に適用可能な放熱促進用マットを提供する。【解決手段】熱伝導性ゲル層２と、この熱伝導性ゲル層２の下層に設けられ熱伝導性ゲル層２より伝えられる熱を拡散可能な金属製網目組織体層４と、この金属製網目組織体層４の下層に設けられ金属製網目組織体層４より伝えられる熱を放出可能な軟質の合成樹脂製網目組織体層５を積層したことを特徴とする。【選択図】      図１
2004350990.tif 000002
【特許請求の範囲】
【請求項１】
熱伝導性ゲル層と、この熱伝導性ゲル層の下層に設けられ熱伝導性ゲル層より伝えられる熱を拡散可能な金属製網目組織体層と、この金属製網目組織体層の下層に設けられ金属製網目組織体層より伝えられる熱を放出可能な軟質の合成樹脂製網目組織体層を積層したことを特徴とする放熱促進用マット。
【請求項２】
熱伝導性ゲル層と、この熱伝導性ゲル層の下層に設けられ熱伝導性ゲル層より伝えられる熱を拡散可能な金属製網目組織体層と、この金属製網目組織体層の下層に設けられ金属製網目組織体層より伝えられる熱を放出可能な軟質の合成樹脂製網目組織体層と、この下部に設けられる枕基体部とを積層したことを特徴とする放熱促進用マットを具えた枕。
【請求項３】
前記熱伝導性ゲル層は、高熱伝導性フィラーを添加した熱伝導性シリコーンゲルより成ることを特徴とする前記請求項１または２記載の放熱促進用マット並びにこれを具えた枕。
【請求項４】
前記金属製網目組織体層は、表面積の大きい金属長繊維体であり、これを前記熱伝導性ゲル層に接触もしくは一部埋設させていることを特徴とする前記請求項１、２または３記載の放熱促進用マット並びにこれを具えた枕。
【請求項５】
前記金属製網目組織体層は、金属製発泡体、金属製ハニカム構造体、金属製フィン構造体、もしくは金属箔であり、これを前記熱伝導性ゲル層に接触もしくは一部埋設させていることを特徴とする前記請求項１、２または３記載の放熱促進用マット並びにこれを具えた枕。
【請求項６】
前記合成樹脂製網目組織体は、低硬度で柔軟性があり反発弾性も有する低密度連続気泡の通気性を有する発泡体であることを特徴とする前記請求項１、２、３，４または５記載の放熱促進用マット並びにこれを具えた枕。
【請求項７】
前記合成樹脂製網目組織体は、柔軟性があり反発性及び通気性を有する立体織基布体であることを特徴とする前記請求項１、２、３，４または５記載の放熱促進用マット並びにこれを具えた枕。
【発明の詳細な説明】
【０００１】
【発明の属する技術分野】
本発明は放熱促進用マット並びにこれを具えた枕に関する発明であり、特に枕等に適用されるマットに人体等の熱が籠もらない自然冷却構造に係るものである。
【０００２】
【発明の背景】
快適な睡眠と休息を提供する寝具として枕は重要である。枕の硬度や高さは、個々の体格等の差により種々の好みがあるものの、枕の温度特性としては、体温が枕に伝わって熱が枕内に籠もってしまわないものが一般に好まれている。このようなことから、従来から例えば蕎麦殼を充填した枕や、多数の合成樹脂製短寸パイプを充填した枕等が使用されている。
【０００３】
また枕に籠もる熱を排出して適温を保とうとする先願発明としては、例えばサーモエレメントの吸熱側に冷却器、発熱側に放熱器をそれぞれ密着して設け、冷却器が上部に、放熱器が下部となるように取り付けた電子冷却枕がある（例えば、特許文献１参照。）。しかしながらこのような電子冷却枕は、ランニングコストの面から、あるいは睡眠中のトラブル発生に対する心配を払拭し得ない場合もあることから、その使用をためらわせがちであり、結局のところ現実に市場に実製品は受け入れられていない。
【０００４】
また更に他の先願発明としては、枕基台に軟質発泡材の中空箱体で中央上面に空気の放出口（鞴の構造）を設け、その放出口から寝返りの度に出る空気を、その上面に敷かれたマットに当接させてマットの熱を奪うようにした鞴状換気作用による適冷枕がある（例えば、特許文献２参照。）。しかしながら、このような構成では寝返りの度に顔に風が送風されるため、風がかえって安眠を妨げたり、枕カバーをした場合には、放熱作用が著しく損なわれることが予想される。
【０００５】
【特許文献１】
特開昭５７−１８０９５３号公報（第１ページ、第１図）
【特許文献２】
実開平６−８１３７１号公報（第１ページ）
【０００６】
【開発を試みた技術的課題】
本発明はこのような背景からなされたものであって、枕の上層部を適度の硬度のものとして、就寝姿勢での頭部の安息感が得られ、且つ頭部から伝わる熱が枕に籠もらずに外部に効率よく自然に放散される構造とすることによって、就寝時に頭部の冷涼感が得られ、もって快眠を誘うことのできる新規な放熱促進用マットを具えた枕並びに上述したような放熱効果に優れ枕をはじめ種々の部材に適用可能な放熱促進用マットの開発を試みたものである。
【０００７】
【課題を解決するための手段】
すなわち請求項１記載の放熱促進用マットは、熱伝導性ゲル層と、この熱伝導性ゲル層の下層に設けられ熱伝導性ゲル層より伝えられる熱を拡散可能な金属製網目組織体層と、この金属製網目組織体層の下層に設けられ金属製網目組織体層より伝えられる熱を放出可能な軟質の合成樹脂製網目組織体層を積層したことを特徴として成るものである。
この発明によれば、放熱促進用マットに接触するものからの熱が、熱伝導性ゲル層により吸熱されるとともに、金属製網目組織体層を介して合成樹脂製網目組織体層へ伝えられ、吸熱された熱が外部に自然に放出される。また放熱促進用マットに接触するものが、特に放熱促進用マット上を荷重移動する場合には、この接触物の荷重移動により生じる合成樹脂製網目組織体層の収縮・膨張運動により、放熱作用が更に促進される。したがって、枕に適用した場合には、夏季等の熱帯夜のように夜間でも高温状態が続いてしまっているような場合であっても、就寝時に頭部が涼しいことにより快眠が得られる。また上層がゲル層により構成されるため、マット接触物に対しゆっくりと沈み込み、放熱促進用マットに接触するものに適した適度の硬度に構成することも可能である。また電気等の外部エネルギーを必要としないため、環境負荷、経済負荷を生じない。
【０００８】
また請求項２記載の放熱促進用マットを具えた枕は、熱伝導性ゲル層と、この熱伝導性ゲル層の下層に設けられ熱伝導性ゲル層より伝えられる熱を拡散可能な金属製網目組織体層と、この金属製網目組織体層の下層に設けられ金属製網目組織体層より伝えられる熱を放出可能な軟質の合成樹脂製網目組織体層と、この下部に設けられる枕基体部とを積層したことを特徴として成るものである。
この発明によれば、人体頭部からの熱が熱伝導性ゲル層により吸熱されるとともに、金属製網目組織体層を介して合成樹脂製網目組織体層へ伝えられ、この合成樹脂製網目組織体層によって使用者の頭部の荷重移動による収縮・膨張運動により、吸熱された熱が外部に自然に放出される。したがって、夏季等の熱帯夜のように夜間でも高温状態が続いてしまっているような場合であっても、就寝時に頭部が涼しいことにより快眠が得られる。また上層がゲル層により構成されるため、体圧に対しゆっくりと沈み込み、枕に適した適度の硬度に設定することも可能である。また電気等の外部エネルギーを必要としないため、環境負荷、経済負荷を生じない。
【０００９】
更に請求項３記載の放熱促進用マット並びにこれを具えた枕は、前記請求項１または２記載の要件に加え、前記熱伝導性ゲル層は、高熱伝導性フィラーを添加した熱伝導性シリコーンゲルより成ることを特徴として成るものである。
この発明によれば、高熱伝導性フィラーを添加するため、吸熱性がより高まり、またシリコーンゲルであるため、耐熱性、耐水性及び耐薬品性等に優れる。
【００１０】
更にまた請求項４記載の放熱促進用マット並びにこれを具えた枕は、前記請求項１、２または３記載の要件に加え、前記金属製網目組織体層は、表面積の大きい金属長繊維体であり、これを前記熱伝導性ゲル層に接触もしくは一部埋設させていることを特徴として成るものである。
この発明によれば、熱伝導性ゲル層により吸熱された熱の熱拡散効果に優れた放熱促進用マットを提供できるものである。また熱伝導性ゲル層の厚さを薄くしても、放熱促進用マットに触れた感じが比較的柔らかく感じるように構成することが可能である。
【００１１】
更にまた請求項５記載の放熱促進用マット並びにこれを具えた枕は、前記請求項１、２または３記載の要件に加え、前記金属製網目組織体層は、金属製発泡体、金属製ハニカム構造体、金属製フィン構造体、もしくは金属箔であり、これを前記熱伝導性ゲル層に接触もしくは一部埋設させていることを特徴として成るものである。
この発明によれば、熱伝導性ゲル層により吸熱された熱の熱拡散効果に優れた放熱促進用マットを提供できるものであり、伝熱性や放熱促進用マットに触れた際の触感の変更も可能である。
【００１２】
更にまた請求項６記載の放熱促進用マット並びにこれを具えた枕は、前記請求項１、２、３，４または５記載の要件に加え、前記合成樹脂製網目組織体は、低硬度で柔軟性があり反発弾性も有する低密度連続気泡の通気性を有する発泡体であることを特徴として成るものである。
この発明によれば、金属製網目組織体層から伝えられた熱の放熱性に優れるとともに、収縮した状態から復元する際には、周囲の空気を吸気し、金属製網目組織体層に冷気を供給する。
【００１３】
更にまた請求項７記載の放熱促進用マット並びにこれを具えた枕は、前記請求項１、２、３，４または５記載の要件に加え、前記合成樹脂製網目組織体は、柔軟性があり反発性及び通気性を有する立体織基布体であることを特徴として成るものである。
この発明によれば、金属製網目組織体層から伝えられた熱の放熱性に優れる。また適宜の形状に加工することが容易に行え、ラッセル織基布体等の立体織基布体は種々の種類のものが市場に流通しているため、用途や消費者ニーズに応じた種々のものを選択適用でき、製造コストも抑えられる。
【００１４】
【発明の実施の形態】
以下本発明を図示の実施の形態に基づき説明する。なお以下の説明では、本発明の放熱促進用マットを具えた枕の説明を行うことにより、併せて本発明の放熱促進用マットの説明を行う。
図中符号１で示すものが、本発明に係る放熱促進用マットを具えた枕の一例であり、このものは図１、２及び３に示されるように、熱伝導性シリコーンゲルを適用した熱伝導性ゲル層２と、この熱伝導性ゲル層２の上部に敷設される低硬度ポリウレタンフィルムを適用した表装フィルム３と、この熱伝導性ゲル層２の下層に設けられ熱伝導性ゲル層２より伝えられる熱を効率よく拡散して後述する合成樹脂製網目組織体層５に熱を伝達する金属製網目組織体層４と、この金属製網目組織体層４の下層に設けられて金属製網目組織体層４により伝えられた熱を外部へ放出する合成樹脂製網目組織体層５とを具えて成る放熱促進用マットＭが、枕基体部６上に敷設されて成る。なお符号７で示すものは、本発明の放熱促進用マットを具えた枕１の汚れを防止するために、一例として設けられた綿製等の枕カバーであり、側部に通気性を持たせて構成されている。
以下、各部材について説明する。
【００１５】
熱伝導性ゲル層２について説明する。このものは、高熱伝導性フィラーを添加したシリコーンゲルを主要素材として構成されたシート状のものであり、高熱伝導性フィラーとしては、アルミナ、窒化硼素、窒化アルミ、水酸化アルミ、炭化珪素、その他の熱伝導性に優れるセラミックフィラーや、アルミ粉、銅粉、その他の熱伝導性に優れる金属フィラーを用いることができる。そしてこの熱伝導性ゲル層２の熱伝導率は、０．５Ｗ／ｍ・Ｋ以上であることが好ましい。またこの熱伝導性ゲル層２の厚さは、一例として１．０〜５．０ｍｍ厚程度で、硬度は、針入度〔ＪＩＳＫ２２０７（５０ｇ荷重）〕８０〜２００の柔軟なものが好ましい。なおこの硬度は、シリコーンの温度特性により外気の温度変化に対しても安定した硬度を保てるものであり、四季を通じて同じ硬度を保持できる。
【００１６】
次に金属製網目組織体層４について説明する。前記金属製網目組織体層４は、表面積の大きい金属長繊維体を一例として適用するものであり、これを前記熱伝導性ゲル層２に接触させている。金属長繊維体は、具体的には長さ２０ｍｍ以上の金属繊維を用いてウェブ状に形成したものや、クロス状に編み込んで形成したものを適用するもので、厚さは、例えば１〜５ｍｍ程度のものを適用する。そして金属長繊維としては、具体的にはアルミ繊維、銅繊維、その他の金属繊維や、アルミナ繊維等を用いることができる。
【００１７】
なお前記金属製網目組織体層４は、前記熱伝導性ゲル層２に対し、接触させていただけであるが、図４に示すように上部を熱伝導性ゲル層２に対し一部埋設させてもよい。具体的には硬化前の熱伝導性ゲル層２に対し金属製網目組織体層４を含浸させて、その後熱伝導性ゲル層２を硬化形成することによりこのように構成することが可能である。この場合には、熱伝導性ゲル層２の熱がより確実に金属製網目組織体層４に伝わりやすい。
また金属製網目組織体層４としては、前述したような金属長繊維体を用いる他、金属製発泡体、金属製ハニカム構造体、金属製フィン構造体若しくは金属箔等を用いるようにしてもよい。前記金属製フィン構造体としては、例えば図５の側面図に示すような平板状フィンが下側に突出したもの（図５（ａ）参照）や波形に形成されたもの（図５（ｂ）参照）など種々の形状のものが適用できる。また前記金属箔としては、この場合金属箔は凹凸に成形して表面積を大きくし、適宜穿孔して構成する。因みに金属箔としては、具体的にはアルミ箔や銅箔等を用いることが可能である。以上のような金属製網目組織体層４を、放熱促進用マットＭの使用用途等に応じて適宜選択できるものである。また金属製網目組織体層４の硬度としても、熱伝導性ゲル層２や合成樹脂製網目組織体層５を厚いもので構成する場合には、硬質のものが適用できるし、放熱促進用マットＭの使用用途によっては、熱伝導性ゲル層２や合成樹脂製網目組織体層５が薄いものであっても構わないものである。
【００１８】
次に合成樹脂製網目組織体層５について説明する。このものは低硬度で柔軟性があり、反発弾性と通気性も有する低密度連続気泡のウレタンフォーム等の発泡体から成るものである。一例として厚さは５〜２０ｍｍ程度であり、フォーム硬度は５０ｋＰａ（ＪＩＳＫ６７６７）以下であることが好ましい。なお合成樹脂製網目組織体層５は、上述した構成のみでも熱放出性を有しているが、更に熱放出性を高めるように側面に貫通した通気孔を設けてもよい。また合成樹脂製網目組織体層としては、上述したようなウレタンフォーム等の発泡体を用いる他、柔軟性があり反発性及び通気性を有する立体織基布体を用いることができる。このような立体織基布体としては、例えば具体的にはラッセル織基布体等を適用することが可能である。
【００１９】
また枕基体部６は、一例として低反発のウレタンフォーム等から成る低反発発泡体を適用するものであるが、市場の嗜好性等に応じて種々の素材のものに改変して実施することが可能である。
なお放熱促進用マットＭ単体で発明を実施する場合には、この枕基体部６は無い状態で提供され、使用者の適宜に用意した枕上に敷設して用いるものであるため、放熱促進用マットＭにベルトや面状ファスナ等を設けておくことが好ましい。また枕基体部６は、この放熱促進用マットＭの前記合成樹脂製網目組織体層５と同質材で一体に形成して実施してもよい。
【００２０】
本発明の放熱促進用マットを具えた枕１は、一例として以上のような具体的な形態を有し、以下この作動態様について説明する。
就寝時において、人体頭部からの熱が、表装フィルム３を介して熱伝導性ゲル層２に吸熱され、熱伝導性ゲル層２は熱伝導性に優れるため、この熱は下層の金属製網目組織体層４に伝えられる。そして金属製網目組織体層４により熱は拡散されて合成樹脂製網目組織体層５全体に伝えられる。
【００２１】
また合成樹脂製網目組織体層５は、使用者の頭部の荷重移動により収縮・膨張を繰り返しているものであり、収縮時に伝熱された熱が主に外側面から外部へ放出される。図１中符号Ｈで示すものが放出熱である。なお合成樹脂製網目組織体層５が膨張した時には、外気が吸気され、金属製網目組織体層４が冷却される効果を有している。
【００２２】
なお放熱促進用マットＭの使用用途としては、上述したような枕への使用の他、寝具用マットレス、ベッド、ペット用等の敷マット、ノートパソコン載置用マットや座席マットとしての使用など、放熱されることが好まれる種々のマット材として使用可能である。
【００２３】
以下に本発明の放熱促進用マットを具えた枕１と、他の枕との比較実験を表１に示す。
この比較実験は、実施例１、実施例２及び比較例１〜６の各枕の上表面に対し、ラバーヒーターにより一定の熱（１．９５Ｗ）を供給し続けた時、１時間後、２時間後、３時間後に各枕の上面温度が、それぞれどのように変化するかを調べたものである。
【００２４】
【表１】
2004350990.tif 000003
【００２５】
なお表中の実施例１、実施例２及び比較例１〜７の各枕の具体的構成について記載すると、実施例１は本発明の放熱促進用マットを具えた枕１の実施例であり、熱伝導性ゲル層２の熱伝導性シリコーンゲルの高熱伝導性フィラーとして、アルミナを用いており、熱伝導率は０．７Ｗ／ｍＫである。また表装フィルム３の表面には、枕カバー７に相当する木綿の布が被せられている。また金属製網目組織体層４は、アルミ長繊維を不織布状に形成したものを用い、このものを前記熱伝導性ゲル層２の下面に接触させて設けている。一方合成樹脂製網目組織体層５は、前記実施の形態で説明したようなウレタンフォームの発泡体を用いている。また枕基体部６は、低反発のウレタンフォームを用いるものである。
【００２６】
また実施例２は、前記実施例１において金属製網目組織体層４の上半分程度を熱伝導性ゲル層２の下面側に埋設したものを用いている。その他の構成については、前記実施例１と同様構成をしている。
【００２７】
一方、比較例１は、前記実施例１において高熱伝導性フィラーが添加されていないシリコーンゲル（熱伝導率０．２Ｗ／ｍＫ）を用いた比較例であり、その他の条件については、前記実施例１と同一である。
【００２８】
また比較例２は、前記実施例１において金属製網目組織体層４を設けない比較例であり、その他の条件については、前記実施例１と同一である。
【００２９】
また比較例３は、前記実施例１において、高熱伝導性フィラーが添加されていないシリコーンゲルを用いるとともに、金属製網目組織体層４を設けない比較例であり、その他の条件については、前記実施例１と同一である。
【００３０】
また比較例４は、一般的に広く流通している市販の枕であり、蕎麦殼を木綿の枕カバー内に充填したものである。
【００３１】
また比較例５は、一般的に広く流通している市販の枕であり、多数の合成樹脂製パイプを木綿の枕カバー内に充填したものである。
【００３２】
また比較例６は、一般的に広く流通している市販の枕であり、体圧を均一に分散することを特徴とする低反発ウレタンフォーム製の枕である。
【００３３】
以上、比較実験データの表１から、本発明の放熱促進用マットを具えた枕である実施例１の枕の温度が、１時間後４１．８℃、２時間後４１．９℃、３時間後４２．１℃であり、また実施例２の枕の温度が１時間後３８．１℃、２時間後３９．４℃、３時間後４０．３℃であり、本発明に係る実施例１及び実施例２の枕は、全ての各比較例に対し各時間帯において常に低い温度で保たれており、自然冷却構造に優れている。
【００３４】
【発明の効果】
請求項１記載の放熱促進用マットによれば、放熱促進用マットＭに接触するものからの熱が、熱伝導性ゲル層２により吸熱されるとともに、金属製網目組織体層４を介して合成樹脂製網目組織体層５へ伝えられ、吸熱された熱が外部に自然に放出される。また放熱促進用マットＭに接触するものが、特に放熱促進用マットＭ上を荷重移動する場合には、この接触物の荷重移動により生じる合成樹脂製網目組織体層５の収縮・膨張運動により、放熱作用が更に促進される。したがって、枕に適用した場合には、夏季等の熱帯夜のように夜間でも高温状態が続いてしまっているような場合であっても、就寝時に頭部が涼しいことにより快眠が得られる。また上層がゲル層により構成されるため、マット接触物に対しゆっくりと沈み込み、放熱促進用マットＭに接触するものに適した適度の硬度に構成することも可能である。また電気等の外部エネルギーを必要としないため、環境負荷、経済負荷を生じない。
【００３５】
また請求項２記載の放熱促進用マットを具えた枕によれば、人体頭部からの熱が熱伝導性ゲル層２により吸熱されるとともに、金属製網目組織体層４を介して合成樹脂製網目組織体層５へ伝えられ、この合成樹脂製網目組織体層５によって使用者の頭部の荷重移動による収縮・膨張運動により、吸熱された熱が外部に自然に放出される。したがって、夏季等の熱帯夜のように夜間でも高温状態が続いてしまっているような場合であっても、就寝時に頭部が涼しいことにより快眠が得られる。また上層がゲル層により構成されるため、体圧に対しゆっくりと沈み込み、枕に適した適度の硬度に設定することも可能である。また電気等の外部エネルギーを必要としないため、環境負荷、経済負荷を生じない。
【００３６】
更に請求項３記載の放熱促進用マット並びにこれを具えた枕によれば、熱伝導性ゲル層２は、高熱伝導性フィラーを添加した熱伝導性シリコーンゲルより成るため、耐熱性、耐水性及び耐薬品性等に優れる。
【００３７】
更にまた請求項４記載の放熱促進用マット並びにこれを具えた枕によれば、金属製網目組織体層４は、表面積の大きい金属長繊維体であるため、熱伝導性ゲル層２により吸熱された熱の熱拡散効果に優れた放熱促進用マットＭを提供できるものである。また熱伝導性ゲル層２の厚さを薄くしても、放熱促進用マットＭに触れた感じが比較的柔らかく感じるように構成することが可能である。
【００３８】
更にまた請求項５記載の放熱促進用マット並びにこれを具えた枕によれば、金属製網目組織体層４は、金属製発泡体、金属製ハニカム構造体、金属製フィン構造体、もしくは金属箔であるため、熱伝導性ゲル層２により吸熱された熱の熱拡散効果に優れた放熱促進用マットＭを提供できるものであり、伝熱性や放熱促進用マットＭに触れた際の触感の変更も可能である。
【００３９】
更にまた請求項６記載の放熱促進用マット並びにこれを具えた枕によれば、合成樹脂製網目組織体は、低硬度で柔軟性があり反発弾性も有する低密度連続気泡の通気性を有する発泡体であるため、金属製網目組織体層４から伝えられた熱の放熱性に優れるとともに、収縮した状態から復元する際には、周囲の空気を吸気し、金属製網目組織体層４に冷気を供給する。
【００４０】
更にまた請求項７記載の放熱促進用マット並びにこれを具えた枕によれば、合成樹脂製網目組織体は、柔軟性があり反発性及び通気性を有する立体織基布体であるため、金属製網目組織体層４から伝えられた熱の放熱性に優れる。また適宜の形状に加工することが容易に行え、ラッセル織基布体等の立体織基布体は種々の種類のものが市場に流通しているため、用途や消費者ニーズに応じた種々のものを選択適用でき、製造コストも抑えられる。
【図面の簡単な説明】
【図１】本発明の放熱促進用マットを枕に適用した場合の使用状態を示す斜視図である。
【図２】同上枕を拡大して示す分解斜視図である。
【図３】同上枕の積層状態を模式的に示す分解側面図である。
【図４】金属製網目組織体層の上部を熱伝導性ゲル層に一部埋設させた実施の形態を模式的に示す側面図である。
【図５】金属製網目組織体層の構成を異ならせた他の二種の実施の形態を模式的に示す側面図である。
【符号の説明】
１  放熱促進用マットを具えた枕
２  熱伝導性ゲル層
３  表装フィルム
４  金属製網目組織体層
５  合成樹脂製網目組織体層
６  枕基体部
７  枕カバー
Ｈ  放出熱
Ｍ  放熱促進用マット
【図１】
2004350990.tif 000004
【図２】
2004350990.tif 000005
【図３】
2004350990.tif 000006
【図４】
2004350990.tif 000007
【図５】
2004350990.tif 000008